(57)【要約】【課題】  一式の視聴覚ドキュメントをナビゲーションするための高性能かつユーザフレンドリーな新規性のある概念を提示し、それによってユーザが希望のドキュメントを容易に信頼できる方法で選択することを可能にすることを目的とする。【解決手段】  本発明は、オーディオビジュアル装置の利用可能な視聴覚ドキュメントのリストにおけるナビゲーション処理に関するものである。少なくとも１つのドキュメントが事前に装置に記録される。次に、前記装置が、記録されたドキュメントに少なくとも１つの識別子を関連付けるコマンドを受け入れる。最後に、前記装置は、記録されたドキュメントのリストをナビゲーションするコマンドを受け入れ、前記ドキュメントが選択されると、前記ドキュメントに関連付けられた識別子が自動的に再生される。本発明はまた、前記処理を用いるためのソフトウェアのナビゲーションモジュールを実行可能な装置に関するものである。改良形態によると、前記識別子は映像シーケンス、音声シーケンス、テキスト又は静止画像である。【選択図】  図３
2004357293.tif 000002
【特許請求の範囲】
【請求項１】
ディスプレイ手段を備えた装置で一式の視聴覚ドキュメント内をナビゲーションする方法であって、
ａ）前記装置に複数のドキュメントを記録する事前ステップを有し、
各ドキュメントが第１の識別子に関連付けられ、
ｂ）ユーザによって選択された少なくとも１つの第２の識別子と記録されたドキュメントとの間の少なくとも１つの関連付けのコマンドをユーザによって取り入れるステップと、
ｃ）ハイライトされたドキュメントに関連付けられた前記第１と第２の識別子を表示しながら、ドキュメントのリスト内をナビゲーションするステップと
を更に有することを特徴とする方法。
【請求項２】
請求項１に記載のナビゲーション方法であって、
前記ドキュメントに関連付けられた前記第２の識別子を前記装置で作るステップを有し、
前記作ることが、受け入れられた関連付けのコマンドに従って実行されることを特徴とするナビゲーション方法。
【請求項３】
請求項１に記載のナビゲーション方法であって、
第２の識別子を受け入れるステップを有し、
前記受け入れられた識別子が、前記関連付けコマンドの機能として、前記ドキュメントに関連付けられることを特徴とするナビゲーション方法。
【請求項４】
請求項３に記載のナビゲーション方法であって、
前記第２の識別子をユーザによって取り入れるステップを有することを特徴とするナビゲーション方法。
【請求項５】
請求項１ないし４のうちのいずれか１項に記載のナビゲーション方法であって、
前記ナビゲーションするステップが、
前記ドキュメントの一部に関連付けられた前記第１と第２のグラフィックの識別子を有するページを表示するステップを有し、
前記識別子のうちの１つがハイライトされることを特徴とするナビゲーション方法。
【請求項６】
請求項１ないし５のうちのいずれか１項に記載のナビゲーション方法であって、
ステップｂ）が、ドキュメントに関連付けられる第２の識別子の形式のリストを表示する第１のステップを有し、
前記関連付けコマンドが前記リストのうちの１つ以上の形式を選択することを特徴とするナビゲーション方法。
【請求項７】
請求項１ないし６のうちのいずれか１項に記載のナビゲーション方法であって、
少なくとも１つの第２の識別子が音声シーケンスであり、
前記ナビゲーションするステップが、関連付けられたドキュメントがハイライトされると、前記音声シーケンスの再生をするステップを有することを特徴とするナビゲーション方法。
【請求項８】
請求項１ないし７のうちのいずれか１項に記載のナビゲーション方法であって、
前記第１と第２のグラフィックの識別子の自動再生をするステップを有し、
各ドキュメントに対応する前記識別子が、定められた持続時間の間、連続的に再生されることを特徴とするナビゲーション方法。
【請求項９】
請求項１ないし８のうちのいずれか１項に記載のナビゲーション方法であって、
前記ナビゲーションするステップの間に、第２の識別子がハイライトされ、前記識別子の選択が関連付けられたドキュメントの再生を起動することを特徴とするナビゲーション方法。
【請求項１０】
中央ユニットと、
ドキュメントを記録する手段と、
ドキュメントのプロバイダによって決められた前記ドキュメントの第１の識別子を再生する手段と、
記録されたドキュメントのリスト内をナビゲーションすることを可能にするナビゲーションコマンドを受け入れる手段と
を有するオーディオビジュアル装置であって、
少なくとも１つの第２の識別子と記録された視聴覚ドキュメントとの間の関連付けを確立するための少なくとも１つのコマンドを取り入れる手段を有し、
前記関連付けられたドキュメントの選択を目的としてナビゲーションコマンドによって少なくとも１つの第１の識別子がハイライトされると、関連付けられた前記第２の識別子が自動的に再生されることを特徴とするオーディオビジュアル装置。
【請求項１１】
請求項１０に記載のオーディオビジュアル装置であって、
前記ドキュメントに関連付けられた前記第２の識別子を作る手段を有し、
前記手段が、関連付けのパラメータの受け入れ手段によってパラメータ化されることを特徴とするオーディオビジュアル装置。
【請求項１２】
請求項１１に記載のオーディオビジュアル装置であって、
第２の識別子を受け入れる手段を有し、
前記識別子が、前記取り入れる手段によって関連付けられることを特徴とするオーディオビジュアル装置。
【請求項１３】
請求項１２に記載のオーディオビジュアル装置であって、
第２の識別子を取り入れる手動の手段を有することを特徴とするオーディオビジュアル装置。
【請求項１４】
請求項１０ないし１３のうちのいずれか１項に記載のオーディオビジュアル装置であって、
映像、音声、テキスト又は画像のような第２の識別子の形式のリストを表示する手段と、
表示された前記リストの中から前記形式を選択する手段と
を有することを特徴とするオーディオビジュアル装置。
【請求項１５】
請求項１０ないし１４のうちのいずれか１項に記載のオーディオビジュアル装置であって、
ドキュメントに関連付けられた前記第２の識別子の音声の再生をする手段を有し、
前記関連付けられたドキュメントがハイライトされるとアクティブになることを特徴とするオーディオビジュアル装置。
【請求項１６】
請求項１０ないし１５のうちのいずれか１項に記載のオーディオビジュアル装置であって、
ドキュメントに関連付けられた全てのグラフィックの識別子を続けて自動再生する手段を有し、
前記識別子が、定められた持続時間の間再生されることを特徴とするオーディオビジュアル装置。
【発明の詳細な説明】
【技術分野】
【０００１】
本発明は、オーディオビジュアル装置の利用可能な視聴覚ドキュメントのリストにおけるナビゲーション処理に関するものであり、そのナビゲーションを可能にする装置に関するものである。本発明は、特に前記リストがユーザ定義の基準に応じた識別子を有する場合に適用される。
【背景技術】
【０００２】
今日、ユーザの家庭に設置された多数の大量販売の装置が、視聴覚ドキュメントを受け取り、それを保存し、必要に応じてそれを再生する。前記ドキュメントは、DVB-SIに関する規格における“サービス情報”又はTV-Anytimeにおける“メタデータ”と呼ばれる記述的データに関連付けられる。前記データは、例えばドキュメントのタイトルや製作者や管理者や要約等を含んでいる。前記装置は、テレビスクリーンに表示されたメニューを編集するために、受信された記述的データを利用するユーザインタフェースを有する。このメニューによって、ユーザはドキュメントをナビゲーションし、表示されたデータの機能としてドキュメントのうちの１つを選択し、オーディオビジュアル装置で視聴することができる。出願人によって出願された特許出願FR96/09679は、テレビ番組を選択する処理と、ユーザが番組のリスト内でナビゲーションすることを可能にするグラフィカルインタフェースを統合した装置について説明する。前記特許出願に記載されたメニューは、ユーザがオーディオビジュアルの伝送の一般的な内容を確認し、ユーザの好みに従ってそれを選択することを可能にする。
【０００３】
伝送チャネル数の増加と、そのようなネットワークを通じて利用可能な視聴覚ドキュメントの数の増加により、ユーザはユーザの装置からアクセス可能な大量のドキュメントを与えられる。標準的なユーザインタフェースは、利用可能なドキュメントの識別子のリストを表示することで構成される。利用可能な大量のドキュメントのため、視聴覚コンテンツのプロバイダは、各ドキュメントを適切に定めることができるように、相当に長い識別子を作っている。特定の数のドキュメントをダウンロードし又は保存した後に、ユーザは、それを再生するためのドキュメントを選択することができる個人的なメディアライブラリをその家庭に有する。コンテンツプロバイダによって定められた識別子に基づいて、選択が行われる。識別子の大きさが相当なものであり、スクリーンの大きさが制限されているため、ユーザインタフェースは限られた数の識別子しか表示することができない。従って、場合によって、正しいドキュメントに到達する前に、ユーザは多数のスクリーンのページをスクロールしなければならない。識別子を切り捨てるという１つの方法があるが、これは混同と選択誤りを生じることがある。従って、以前に記録したドキュメントをユーザが容易に検索できる高性能なツールを提供する必要性が存在する。
【０００４】
デジタルネットワークの導入により、マスストレージ手段の出現と、家庭内でインターネット型のネットワークにアクセス可能にするデジタルＴＶデコーダと、テキストの表示と画像又は音声の表示を関連付ける非常に高性能な手段が現れた。将来のユーザは、音声や映像や画像やテキストやアプリケーション／サービス等のような有意な量の多様な形式のマルチメディアドキュメントに直面しているであろう。これからは、ユーザインタフェースは、ユーザがそのようなマルチメディアのデータベースをナビゲーションし、ユーザが望むドキュメントを見つけ、それを高性能かつユーザフレンドリーな方法で行うことを可能にしなければならない。
【０００５】
BHADKAMKAR  NEALによる米国公開公報US2001/025375は、ストリームに追加のデータアイテム（メタデータ）を関連付けるユーザインタフェースについて説明し、それを用いて迅速にコンテンツを探すことを可能にする。前記ユーザインタフェースは、メタデータを含む領域を見ることを可能にするが、前記領域はパラメータ化されておらず、ユーザは放送者によって提供された選択肢に制限がかけられる。従って、ナビゲーション中には、放送者によって提供された識別子のみが、ドキュメントを選択するためにユーザに利用可能になる。前記識別子によってユーザが何も気付かなければ、ユーザはドキュメントを選択することができない。
【０００６】
POSAによる米国特許US6,526,219は、追加のデータを表示するユーザインタフェースについて説明する。ユーザは、放送者によって提供される選択肢の中からimagetteと呼ばれる画像を選択することができる。imagetteは、記録されたコンテンツを表すタブとして現れる。imagetteをアクティブにすることにより、ユーザは映像の中の特定の一節を直接再生することができる。前記の文献と同様に、このユーザインタフェースは融通がきかず、ユーザに多数の可能性を提供しない。
【０００７】
KINGによる米国特許US5,600,775は、ユーザがドキュメントに注釈を関連付けることを可能にするユーザインタフェースについて説明する。その後、再生中に注釈が自動的に再生される。このドキュメントで用いられる番組ガイドは、放送者によって提供される要素を表示するが、前記要素はユーザに知られないことがある。従って、まずその注釈を表示するためにドキュメントを再生しなければならず、それによってそのドキュメントが実際にユーザの見たいものであるかどうかがわかる。しかし、この文献は、ナビゲーション中に放送者によって送信されたもの以外の要素、すなわちユーザに良く知られる可能性がある要素をディスプレイスクリーンに提示することについて教示しない。
【特許文献１】特許出願FR96/09679
【特許文献２】米国公開公報US2001/025375米国特許US6,526,219
【発明の開示】
【発明が解決しようとする課題】
【０００８】
本発明は、一式の視聴覚ドキュメントをナビゲーションするための高性能かつユーザフレンドリーな新規性のある概念を提示し、それによってユーザが希望のドキュメントを容易に信頼できる方法で選択することを可能にすることを目的とする。
【課題を解決するための手段】
【０００９】
本発明の対象は、ディスプレイ手段を備えた装置で一式の視聴覚ドキュメント内をナビゲーションする処理であり、前記装置に複数のドキュメントを記録する事前ステップを有し、各ドキュメントが第１の識別子に関連付けられ、
ｂ）ユーザによって選択された少なくとも１つの第２の識別子と記録されたドキュメントとの間の少なくとも１つの関連付けのコマンドをユーザによって取り入れるステップと、
ｃ）ハイライトされたドキュメントに関連付けられた前記第１と第２の識別子を表示しながら、ドキュメントのリスト内をナビゲーションするステップと
を更に有することを特徴とする。
【００１０】
従って、ユーザは、ユーザの装置内に利用可能なドキュメントのリストをナビゲーションすることができる。ナビゲータは前記リストのうちのドキュメントをハイライトし、関連付けられた識別子を再生する。それによってユーザが前記ドキュメントを思い出して、その事実の完全な理解をもってそれを選択することを可能にする。
【００１１】
第１の改良形態によると、ドキュメントに基づいて識別子が装置内で作られる。受け入れられた関連付けコマンドは、装置が識別子を作る方法をパラメータ化し、このようにしてユーザはどの形式の関連付けを実施したいかをメニューから選択することができる。変形形態によると、前記識別子が装置内に受け入れられ、関連付けコマンドで関連付けられる。前記変形形態の改良によると、装置のユーザインタフェースを用いて識別子を手動で取り入れることをユーザが行う。
【００１２】
他の改良形態によると、前記装置は、ドキュメントの一部に関連付けられた識別子のページを表示し、前記識別子のうちの１つがハイライトされる。他の改良形態によると、前記装置は、前記装置がドキュメントに関連付けることのできる識別子の形式のリストを表示する。ユーザは、以前に選択されたドキュメントに割り当てたいものをそのリストから選択する。
【００１３】
他の改良形態によると、少なくとも１つの識別子は音声シーケンスである。従って、ナビゲーションステップは、関連付けられたドキュメントがハイライトされると、音声シーケンスを再生するステップを有する。この場合に、改良形態によると、表示できる識別子がドキュメントに関連付けられていない場合、その記録中にドキュメントに関連付けられた識別子が音声シーケンスの再生と同じ時に表示される。その表示された識別子は、前記ドキュメントと同じプロバイダから生じ得る。
【００１４】
他の改良形態によると、前記装置は識別子を自動的に再生できる。各ドキュメントに対応する識別子は、定められた持続時間の間、連続的に再生される。
【００１５】
本発明はまた、中央ユニットと、ドキュメントを記録する手段と、ドキュメントのプロバイダによって決められた前記ドキュメントの第１の識別子を再生する手段と、記録されたドキュメントのリスト内をナビゲーションすることを可能にするナビゲーションコマンドを受け入れる手段とを有するオーディオビジュアル装置であって、少なくとも１つの第２の識別子と記録された視聴覚ドキュメントとの間の関連付けを確立するための少なくとも１つのコマンドを取り入れる手段を有し、関連付けられたドキュメントの選択を目的としてナビゲーションコマンドによって少なくとも１つの第１の識別子がハイライトされると、関連付けられた前記第２の識別子が自動的に再生されることを特徴とする。
【発明の効果】
【００１６】
本発明は、一式の視聴覚ドキュメントをナビゲーションするための高性能かつユーザフレンドリーな新規性のある概念を提示し、それによってユーザが希望のドキュメントを容易に信頼できる方法で選択することが可能になる。
【発明を実施するための最良の形態】
【００１７】
ディスプレイ及び音声再生装置２、例えばテレビが備えられたマルチメディア受信機１の動作方法についてまず説明する。受信機は、プログラムメモリ１２に結合された中央ユニット３と、受信アンテナを用いて伝送ネットワークから視聴覚ドキュメントを受信するためのデマルチプレクサに連結されたチューナ４とを有する。オプションで、前記受信機はまた、前記視聴覚ドキュメントの受信を可能にする高ビットレートのローカルデジタルバス６との通信用のインタフェース５を有することがある。前記ネットワークは、例えばIEEE1394ネットワークである。前記受信機は、リモコン８から信号を受信するための赤外線信号受信機７と、伝送ネットワーク又はローカルデジタルネットワーク６を介して受信された視聴覚ドキュメントを保存するためのメモリ９と、テレビスクリーン２に送出される視聴覚信号を作るための視聴覚デコードロジック１０とを有する。メモリ９は、有利には受信機と統合されたハードディスクであり、それはまた、受信機に接続され、例えば1394形式のドメスティックネットワークを介して遠隔で応答可能な分離した要素であることがある。ユーザがいつでも同じメモリにアクセスできるように、このメモリがユーザの制御のもとにあることが重要である。リモコン８は、少なくとも↑と↓の方向ボタンと＜ＯＫ＞と＜メニュー＞のボタンを備えており、その機能は後述する。
【００１８】
受信機１はまた、しばしばＯＳＤ回路と呼ばれる（“表示画面”を意味する）、スクリーンにデータを表示するための回路１１を有する。ＯＳＤ回路１１は、メニューや図像（例えば視聴される局に対応する番号）がスクリーンに表示されることを可能にし、本発明によるナビゲーションメニューを表示することを可能にするテキスト及びグラフィック生成器である。ＯＳＤ回路は、中央ユニット３とナビゲータ１２によって管理されている。ナビゲータ１２は、有利には読み取り専用メモリに記録されたプログラムモジュールの形式で具体化されている。それはまた、例えばASIC形式の特定目的の回路の形式で具体化されることがある。
【００１９】
デジタルバス６及び／又は伝送ネットワークは、マルチメディアドキュメントと前記ドキュメントを記述するデータとを有するデータを受信機に送信する。前記データは、伝送ネットワーク又はデジタルネットワーク６のいずれかから生じる。記述的データは、“アトリビュート”とも呼ばれるマルチメディアドキュメントにアクセス可能な分類要素を有する。記述的データは、例えばDVB-SI規格で定められたサービス情報、又はTV-Anytimeフォーラムで定められた“メタデータ”に含まれる。前記データは受信機のメモリ９のデータベースに保存され、継続的に更新される。ナビゲータは前記データベースから情報を抽出し、ナビゲーションメニューがスクリーンに表示されるようにそれを処理する。
【００２０】
図２に示す通り、視聴覚ドキュメントに４つの形式の要約を関連付けることが可能である。
１．映像
関連付けられた識別子は動画の映像シーケンスであり、例えばドキュメントの最初の３分であり、又はビデオクリップである。ナビゲータが全体としてドキュメントを分析し、定められた方法に従って選択された抽出物で構成される動画のシーケンスを自動的に作るという代替がある。2002年3月3日に公開され、出願人によって出願された仏国特許出願FR2816157は、そのような要約を自動的に作る方法について説明している。最後に、ユーザはまた、ドキュメントから映像の抽出物を手動で選択することができ、ナビゲータが前記抽出物を結び付け、関連付けられた映像シーケンスを作る。仏国特許出願FR2816157はまた、そのような要約を手動で作る方法について説明している。後者の２つの場合において、作られた要約は、この例示的な実施例に従って識別子として用いられる。
２．音声
関連付けられた識別子は音声の識別子であり、例えば映画の音楽（例えば有名な映画＜One  upon  a  time＞用には、Ennio  Morriconeによる＜The  men  with  harmonica＞という音声シーケンス）である。この音声シーケンスは、特定のPIDによって識別される関連付けられたデータパケットにおいて、MP3圧縮形式に従って伝送され得る。インターネットを介してMP3ファイルをダウンロードすることができるURLを関連付けるという代替がある。ユーザが１つ以上の音声の抽出物（必ずしも音楽ではない）を選択し、ナビゲータが前記抽出物を結び付け、音声シーケンスを作るという代替もある。放送者によって提供された音声の要約を選択するという代替もある。ユーザが関連付けられる音声コンテンツを自ら提供するという代替もあり、ユーザは、例えばマイクロフォンに話して自分のコメントを視聴覚ドキュメントに関連付けることができる。音符と関連付けられたリモコンのボタンで、ユーザがドキュメントの識別子になる自分のメロディーを作曲するという変形形態がある。最後に、ナビゲータが全体としてドキュメントを分析し、定められた方法に従って選択された抽出物、例えば音楽の最初の10秒で構成される音声シーケンスを自動的に作ることもできる。
３．テキスト
識別子はスクリーンに表示されるテキストであり、例えば放送者によって提供され、サービス情報の中で伝送される非常に短い要約（最大で２行）である。ユーザが自分のテキストを取り入れ、ナビゲータが取り入れられたテキストと視聴覚ドキュメントとを関連付けるという代替がある。
４．画像
識別子は静止画像であり、例えば放送者によって提供され、サービス情報の中で伝送される映画のポスターである。ユーザがドキュメントから特に代表的だと思う画像を選択し、ナビゲータが視聴覚ドキュメントに前記画像を関連付けるという代替がある。ユーザ自身がドキュメントに関連付けられる画像を提供するという代替もある。
【００２１】
ユーザは、多様な形式の複数の識別子を組み合わせることができ、例えば映画の音楽と映画のポスターを組み合わせることができる。明らかに、ユーザが受信機に記録した視聴覚ドキュメントに関連付けることができる非常に多くの識別子の選択肢を有する。
【００２２】
図３のフローチャートを用いて、新たに利用可能なドキュメントとユーザに選択された識別子との間の関連付けと、ナビゲーション中に識別子が再生される方法について説明する。
【００２３】
まず、ステップ３．１において、ユーザが伝送ネットワーク、双方向通信ネットワーク又は媒体（例えばDVD又はビデオカセット）の読み取りから生じたドキュメントを受け入れる。次に、ユーザがこのドキュメントを保存することを決めると、受信機のメモリ９にそれを記録する（ステップ３．２）。その後、ステップ３．３において、前記ドキュメントを直接見ることができる時点に、ユーザがそのドキュメントを選択する。次に、コンテンツプロバイダにより提供された識別子以外の識別子、すなわちドキュメントをより容易に思い出すことを可能にする識別子をそれに関連付けることによって、ユーザが前記ドキュメントの識別子を改めることを決める。例えば、非常にあいまいな＜CASINO＞という題名が、＜Robert  de  Niro  とSharon  Stone出演のMartin  Scorceseによる映画Casino＞に交換される。
【００２４】
このため、ユーザは前記ドキュメントに割り当てられる関連付けの形式を選択する（ステップ３．４）。この例示的な実施例は、少なくとも４つの形式の識別子が存在することを示している。選択された形式に応じて、ユーザは自分に最適と思う識別子を取り入れる必要がある。プログラムがこのステップに戻ることにより、ユーザが他の形式を選択することや、ユーザが同じドキュメントを再度選択する必要なくいくつかの識別子を関連付けることを可能にする改良がある。ステップ３．５において、ユーザは選択された識別子をドキュメントに関連付けることをサブミットする。次に、ユーザが記録されたドキュメントを選択したいと思うと、利用可能なドキュメントのリストで促すナビゲータを動作し、ナビゲータによりハイライトされたドキュメントに関連付けられた識別子が自動的に再生される（ステップ３．６）。音声及び／又は映像の識別子のシーケンスの再生は、ユーザが前記ドキュメントのコンテンツと、ジャンルや俳優や音楽の形式等のような特徴をより容易に思い出すことを可能にする。ハイライトされているものがユーザによって取り入れられた識別子である場合、ユーザの選択はユーザが以前に決めた識別子に基づくため、ユーザの選択を容易にまとめることが可能になる。
【００２５】
図４のフローチャートは、例示的な実施例の詳細な動作方法について説明する。特にそこに示されているものは、識別子の形式の選択と、各形式の識別子についてユーザに提示される選択肢である。関連付け動作の始めに、ユーザは、前述の４つの形式（映像、音声、テキスト、画像）のうちの１つを選択する。前記選択は、４つの形式を表す４つのアイコンを有するメニューを通じて行われる。ユーザは、方向ボタンを用いてその形式をナビゲーションし、フォーカスを定め、＜ＯＫ＞ボタンを用いてハイライトされた形式を選択する。要素にフォーカスを定める動作により、それをグラフィックにハイライトすることが可能になる。
【００２６】
ユーザが＜映像＞を選択すると、ユーザは４つのアイコンで表された４つのオプションの選択肢を有する。ユーザは、最初の３分を選択し、ビデオクリップを選択し、ドキュメントの特徴的な映像シーケンスのナビゲータによる自動生成を動作し、又は、相互に結び付けられてドキュメントの特徴的な映像シーケンスを構成するドキュメントの一連の再生部分を手動で選択する。ユーザが手動選択を選ぶと、メモリ９若しくはDVDのような媒体又はURLからダウンロード可能なサイトのいずれかにある映像コンテンツをサブメニューによりナビゲーションすることが可能になる。前記４つのオプションは、ユーザが方向キーを介してハイライトすることができる４つのアイコンにより、＜映像＞メニューのサブメニューで提示され、＜入力＞ボタンを押すことによって選択が行われる。
【００２７】
ユーザが＜音声＞を選択すると、ユーザは３つのアイコンで表された３つのオプションの選択肢を有する。ユーザは、コンテンツプロバイダにより送信された映画の音楽を選択し、若しくは相互に結び付けられて音声シーケンスを構成するドキュメントの一連の再生音声部分を手動で選択し、又は音声コンテンツを受信機にロードしてそのコンテンツをドキュメントに関連付ける。ユーザが最後のオプションを選択すると、メモリ９若しくはオーディオCDやカセットのような媒体又はURLからダウンロード可能なサイトのいずれかにある映像コンテンツをサブメニューから選択する。
【００２８】
ユーザが＜テキスト＞を選択すると、ユーザは２つのアイコンで表された２つのオプションの選択肢を有する。ユーザは、コンテンツプロバイダによって送信されたテキストの要約を選択し、又はリモコンの１０進のキーパッドを用いて手動でテキストを取り入れる。アルファベットのテキストの取り込みは、GSM電話の＜テキストメッセージ＞と同じ方法で行われる。
【００２９】
最後に、ユーザが＜画像＞を選択すると、ユーザは２つのアイコンで表された２つのオプションの選択肢を有する。ユーザは、コンテンツプロバイダによって送信された視聴覚ドキュメントのジャケットを選択し、又は視覚コンテンツを受信機にロードしてそのコンテンツをドキュメントに関連付ける。
【００３０】
それぞれ前記オプションの終わりに、ユーザが入力ボタンを押すことにより選択肢をサブミットし、保存された視聴覚ドキュメントに関連付けられたポインタを更新することによって、メモリ９で関連付けが実行される。前記ポインタの値は、関連付けられた識別子の保存アドレスの値である。ユーザは、いくつかの識別子を全く同一のドキュメントに関連付けるように、識別子を追加することができる。ユーザは識別子を削除することもできる。
【００３１】
ユーザが利用可能な視聴覚ドキュメントを探している際に、関連付けられた識別子をユーザの装置のレベルで再生する処理について説明する。システムの機能は、テレビスクリーンに表示されたメニューを用いてアクセス可能である。メニューに加えて、システムは、スクリーンの下部に表示されたバナーを有する。そこにあるものは、オンラインヘルプ、処理中の送信に関する情報、選択されたチャンネル、又はユーザに利用可能な機能が表示されたインタラクティブなバナーである。ユーザは、リモコンのボタンを用いて多様なメニューにアクセスすることができ、そのリモコンのボタンは以下の機能を有する。
−＜メニュー＞ボタン：メインメニューを表示する
−４つのナビゲーション矢印（上、下、左、右）：ユーザがシステムをナビゲーションし、メニュー、アイテム又は機能を選択することを可能にする。
−ＯＫサブミットボタン：ユーザの選択をサブミットする。
−ＢＡＣＫボタン：以前のメニューに戻るために用いられる。
【００３２】
ナビゲーションの方法は、下から上へのスクリーンの垂直軸と左から右へのスクリーンの水平軸の２つの軸に従って体系づけられる。ユーザは、リモコンのナビゲーション矢印を用いて選択肢から選択肢へ推移する。フォーカスがある選択肢にくると、ユーザは、リモコンのＯＫボタンを押すことで選択肢をサブミットすることができる。ユーザがリモコンのＢＡＣＫボタンを押すと、以前のスクリーン、すなわちユーザがＯＫボタンを押す直前に表示されていたスクリーンに戻る。ユーザがリモコンのメニューボタンを押すと、メインメニューに戻る。ユーザはメインメニューからサブメニューにアクセスし、特に識別子のサブ形式を選択することができる。
【００３３】
スクリーンに表示されたメインメニューは、図５に表されたスクリーンショットのようなものである。＜最近の記録＞と書かれている５番目の要素により、メモリ９に保存され、ユーザが識別子を関連付けていない映像の記録にアクセスすることができる。＜映像＞と書かれている２番目の要素により、ユーザは、以前に関連付けられた識別子によって、保存されたドキュメントにアクセスすることができる。ユーザが＜最近の記録＞を選択したと仮定すると、図６のスクリーンショットが表示される。記録されているが、まだ識別子に関連付けられていない各ドキュメントが、リストの要素として現れる。この場合、ドキュメントは製作者によって提供された題名と、受信機１に記録された日時とで識別される。ユーザは、方向ボタンを用いてこのリストをナビゲーションすることができ、＜ＯＫ＞ボタンを押すことで要素を選択することができる。スクリーンの右側は、フォーカスのある要素に対応する記録されたドキュメントを表示するグラフィックウィンドウを有する。
【００３４】
例えばユーザが映画＜PayBack＞の要素を選択したことを仮定すると、図７のスクリーンショットが表示される。スクリーンに表示される情報は、もはや１つの要素に関連せず、そこにあるものは、題名と記録時間とドキュメントの最初の数分を表示するグラフィックウィンドウである。スクリーンの下部に機能ラインが表示され、それには３つの選択可能なアイコンが含まれる。＜視聴＞と示されたアイコンにより、選択されたドキュメントの全画面表示を動作することが可能になる。＜消去＞と示されたアイコンにより、メモリ９からドキュメントを消去することが可能になり、他のドキュメントを保存するいくつかのスペースを空けることができる。第３のアイコンにより、ドキュメントとユーザに選択された識別子との間の関連付けを起動することが可能になる。前記第３のアイコンを選択することにより、図８に示されるスクリーンショットが表示される。
【００３５】
スクリーンの上部のグラフィックウィンドウには、記述的データによって提供されたドキュメントの題名と、オプションで受信機の保存時間が含まれる。スクリーンの中央の左側に、利用可能な識別子の形式のリストが現れ、そこにあるものは、前述の映像と音声と画像とテキストの４つの形式である。１つの形式が選択され、グラフィックによりハイライトされる。＜上＞と＜下＞ボタンにより、選択を変更することができる。スクリーンの中央の右側に、選択された形式に対応する利用可能なサブ形式が表示される。例えば、＜映像の関連付け＞が選択されると、ユーザは、最初の３分、受信機により自動的に決められたドキュメントのハイライト、又は記述的データで送信されたクリップのうちから選択することができる。サブ形式の選択は、＜右＞ボタンを押し、＜上＞と＜下＞ボタンを用いてサブ形式のリストをナビゲーションすることによって行われる。
【００３６】
ユーザが＜PayBack＞のドキュメントに＜映像＞と＜ハイライト＞の形式を関連付けたと仮定すると、ユーザは＜ＯＫ＞ボタンを押すことでその選択をサブミットする。図９のスクリーンショットが数秒間表示される。スクリーンの下部のメッセージは、＜関連付けられたドキュメントが受信機で利用可能になった＞ことを示す。前記メッセージは、所定の持続時間の終わりに、又はユーザからの新しいコマンドの受信に続いて消える。関連付けが受信機のメモリ９に登録される。
【００３７】
次に、ユーザは、表示されるドキュメントを選択するために、受信機のコンテンツを取り出すことを決める。ユーザがナビゲータを動作すると、図１０に示されるスクリーンショットが現れる。スクリーンの中央の左側に、利用可能な関連付けを有するドキュメントの題名のリストが現れ、そのドキュメントに関連付けられた識別子が右側に現れる。ハイライトされた識別子は、放送者によって送信されたものであり、又はユーザによって以前に定められたものであることがある。図１０の例では、映画＜PayBack＞がリストから選択され、右側のグラフィックウィンドウは、関連付けの時に受信機で選択されたハイライトが示される。ドキュメントが音声形式の識別子に関連付けられた場合には、画面の右側には何も表示されず、受信機は音声のみを用いて識別子を再生する。それによって、ユーザはドキュメントのジャンルを容易に理解し、それに含まれるものを思い出すことができる。ユーザが以前に音声形式の識別子のみを関連付けた場合、スクリーンに現れるグラフィックの識別子は、デフォルトではコンテンツプロバイダによって提供されたものである。＜ＯＫ＞ボタンを押すことにより、ユーザは識別子がハイライトされているドキュメントの再生を起動する。前記ドキュメントが全画面に現れ、前記ドキュメントに関連付けられた識別子が消え、それはユーザが選択を行ったためもはや不要である。
【００３８】
全く同一のドキュメントにいくつかの識別子を関連付けるという改良がある。図１１は、１つはテキスト形式（放送者が提供するような要約）であり、他方は画像形式（映画からの画像）である少なくとも２つの識別子を関連付けたドキュメントを表すスクリーンショットを示している。その表示に加えて、ナビゲータは第３の識別子である音声を再生することができる。前記改良は、ドキュメントへの識別子のリストの関連付けを通じて実行されることができ、ナビゲータはリストを読み取り、スクリーン及び／又はスピーカで再生するために、関連付けられた全ての識別子を抽出する。常に、フォーカスのあるドキュメントが＜ＯＫ＞ボタンを押すことにより再生され得る。＜消去＞ボタンにより、メモリ９からドキュメントを消去することが可能になり、関連付けも消去される。
【００３９】
記録されたドキュメントの自動プレビューを作るために、自動的に識別子を結び付けるという他の改良がある。それによって結び付けられた識別子は、グラフィック形式（映像、画像又はテキスト）である。リモコンのキー（又はメニューの入力）により、受信機に保存された全てのコンテンツの自動プレビューを動作することが可能になる。結局、このことによって、識別子の連続からなるクリップを再生することになる。現在ナビゲータによりハイライトされているドキュメントにユーザが興味を持つと、ユーザが＜ＯＫ＞ボタンを押し、スクロールが中断され、選択されたドキュメントが全画面に現れる。
【００４０】
本発明は、示された特定の実施例を参照して説明されたが、前記実施例に限定されず、特許請求の範囲によって解釈される。方向ボタンと同等の何らかのナビゲーション手段が本発明の実施に適用可能であることが実際にわかる。
【図面の簡単な説明】
【００４１】
【図１】本発明の例示的な実施例を実施するためのマルチメディア装置のブロック図である。
【図２】ユーザがドキュメントに関連付けることができる多様な形式の識別子を示す図である。
【図３】本発明の例示的な実施例によるドキュメントに識別子を関連付けるために実行される主なステップの例示的なフローチャートである。
【図４】本発明の例示的な実施例によるドキュメントに識別子を関連付けるために実行されるステップの例示的な詳細のフローチャートである。
【図５】本発明の例示的な実施例によるメインメニューのスクリーンショットを示したものである。
【図６】識別子に関連付けられていない利用可能なドキュメントのリストを示したスクリーンショットを示したものである。
【図７】識別子に関連付けられていないドキュメントが選択されたスクリーンショットを示したものである。
【図８】ユーザがドキュメントを選択した際にユーザに提示される多様な形式の関連付けを示したスクリーンショットを示したものである。
【図９】ドキュメントと識別子との間の関連付けの確認の次のスクリーンショットを示したものである。
【図１０】ユーザの装置に基づいて利用可能であり、識別子が関連付けられたドキュメントのリスト内をユーザがナビゲーションする際のスクリーンショットを示したものである。
【図１１】ユーザの装置に基づいて利用可能であり、いくつかの識別子が関連付けられたドキュメントのリスト内をユーザがナビゲーションする際の改良形態を示したスクリーンショットを示したものである。
【符号の説明】
【００４２】
１  受信機
２  ディスプレイ及び音声再生装置
３  中央ユニット
４  デマルチプレクサ・チューナ
５  デジタルネットワークインタフェース
６  デジタルバス
７  遠隔制御インタフェース
８  リモコン
９  メモリ
１０  視聴覚インタフェース
１１  ＯＳＤ回路
１２  プログラムメモリ
【図１】
2004357293.tif 000003
【図２】
2004357293.tif 000004
【図３】
2004357293.tif 000005
【図４】
2004357293.tif 000006
【図５】
2004357293.tif 000007
【図６】
2004357293.tif 000008
【図７】
2004357293.tif 000009
【図８】
2004357293.tif 000010
【図９】
2004357293.tif 000011
【図１０】
2004357293.tif 000012
【図１１】
2004357293.tif 000013